(57)【要約】【課題】既存の引き出しへ個別な設置が可能で引き出しの解放を防止できる解除機能を有する引出し解放防止具を提供する。【解決手段】引出しに固着される第1部材が引出しの開放を防止する掛止部を略水平方向に移動可能に保持し、前記掛止部はその先端部の近くで水平方向へ突設される掛止爪を備え、引出し本体に固着される第２部材が、前記掛止爪を掛止する掛止受け部、及び引出しの閉止方向の力を水平方向の力へ変換する応力変換部を有する掛止板を鉛直方向及び前記掛止爪の突設方向とは逆方向へ付勢して保持し、前記引出しが閉止されると、前記掛止爪と前記掛止受け部との掛止がなされ、前記掛止部の後端の押圧部が水平方向へ押されると、前記掛止爪が前記応力変換部に当たり、前記掛止部の先端部が前記掛止爪の突設方向へ移動させさられて前記掛止爪と前記掛止受け部との掛止が外れ、前記引出しの開放が可能になる。【選択図】図１
2016020603.tif 000002
【特許請求の範囲】
【請求項１】
引出しに固着される第１部材と、引出し本体に固着される第２部材とを備える引出し解放防止具であって、
前記第１部材が、前記引出しの開放を防止する掛止部を略水平方向に移動可能に保持し、前記掛止部はその先端部の近くで水平方向へ突設される掛止爪を備え、前記第２部材が、前記掛止爪を掛止する掛止受け部及び引出しの出入り方向の力を水平方向の力へ変換する応力変換部を有する掛止板を鉛直方向及び前記掛止爪の突設方向とは逆方向へ付勢して保持し、
前記引出しが閉止されると、前記掛止爪が前記掛止受け部を前記鉛直方向で付勢の反対方向へ移動させて前記掛止爪と前記掛止受け部との掛止がなされ、
前記掛止部の後端の押圧部が水平方向へ押されると、前記掛止爪が前記応力変換部に当たり、前記掛止部の先端部が前記掛止爪の突設方向へ移動させられて前記掛止爪と前記掛止受け部との掛止が外れ、前記引出しの開放が可能になることを特徴とする引出し解放防止具。
【請求項２】
前記第１部材が前記掛止部を略水平に保持する保持部を有し、前記第２部材の前記掛止板が掛止部の先端が当たる当り辺を有し、前記引出しが開放された状態で、略水平に保持された前記掛止部の前記掛止爪の位置が、前記掛止受け部の当り辺の上端の位置よりも下で、当り辺の下端の位置よりも上にあるように前記第１部材が引出しに固着されると共に前記第２部材が引出し本体に固着されることを特徴とする請求項１に記載の引出し解放防止具。
【請求項３】
前記掛止部の上下方向の幅が、前記掛止爪の下端から上方に向けて狭くなるように形成されていることを特徴とする請求項１又は２に記載の引出し解放防止具。
【請求項４】
前記掛止部が、その後端部に前記掛止部を引出の閉止方向へ移動させて前記応力変換部に前記掛止爪をあてがい前記応力変換部を水平方向へ移動させ前記掛止爪と前記掛止受け部との掛止を開放させる押圧部を有することを特徴とする請求項１乃至３の何れかに記載の引出し解放防止具。
【請求項５】
前記押圧部が前記引出しの開放方向へ付勢されていることを特徴とする請求項１乃至４の何れかに記載の引出し解放防止具。
【発明の詳細な説明】
【技術分野】
【０００１】
本発明は、地震等による建屋の揺れ、振動、傾斜によって生じる家具やキャビネットまたは机等の引出しの解放を防止する引出し解放防止具に関する。
【背景技術】
【０００２】
従来、家庭の食器棚、本棚、洋服ダンス等の収納家具や、事務所の机や各種キャビネッ
トの引出しは、頻繁に使用されるために開閉が容易な構造となっている。
【０００３】
このような引出しは、この開閉容易な構造のために、地震で容易に解放してしまう。これを防止するために、例えば特許文献１に開示される引出し飛び出し防止構造では、引出しの底面に凹凸部を設け、地震で上下方向へ動く振り子をこの凹凸部へ係合させて引出しの開放を防止する構造が開示されている。
【０００４】
また、特許文献２では、引出しの引出し方向と直交する方向へ掛け渡される帯状部により地震の際の引出しの飛び出しを防止する構造が開示されている。
【０００５】
また、特許文献３では、通常は地震などに備えてロックされているが、使用時にはこれを解除する機構が開示されている。
【先行技術文献】
【特許文献】
【０００６】
【特許文献１】特開２００７−３７９３０号公報
【特許文献２】特開２０１２−２５４２６６号公報
【特許文献３】特開平９−２８７３３９号公報
【発明の概要】
【発明が解決しようとする課題】
【０００７】
しかしながら、特許文献１に開示される引出し飛び出し防止構造は、引出し内部に取り付ける必要があり、既に所有している収納家具への取り付けるは不便であった。特許文献２に開示される引出し飛び出し防止構造は強力であるが日常的に使用する場合取り外しに多少の手間が掛かる。また特許文献３に開示される引出し飛び出し防止構造は、ロック機構の解除機能を有するが構造が複雑でコストが掛かるという問題点がある。
【課題を解決するための手段】
【０００８】
この発明の目的は、上述した事情に鑑みなされたもので、既存の引出しへ個別に簡易な設置ができる引出し解放防止具を提供することである。
【０００９】
また、この発明の別の目的は、使用が簡便で、かつ確実に引出しの解放を防止できる解除機能を有する引出し解放防止具を提供することである。
【００１０】
上述した課題を解決し、目的を達成するため、この発明に係わる引出し解放防止具は、請求項１の記載によれば、引出しに固着される第１部材５と、引出し本体に固着される第２部材１とを備える引出し解放防止具であって、前記第１部材５が、前記引出しの開放を防止する掛止部４を略水平方向に移動可能に保持し、前記掛止部４はその先端部の近くで水平方向へ突設される掛止爪３を備え、前記第２部材１が、前記掛止爪を掛止する掛止受け部８及び引出しの出入り方向の力を水平方向の力へ変換する応力変換部７を有する掛止板２を鉛直方向及び前記掛止爪の突設方向とは逆方向へ付勢して保持し、前記引出しが閉止されると、前記掛止爪３が前記掛止受け部８を前記鉛直方向で付勢の反対方向へ移動させて前記掛止爪３と前記掛止受け部８との掛止がなされ、前記掛止部４の後端の押圧部９が水平方向へ押されると、前記掛止爪３が前記応力変換部７に当たり、前記掛止部４の先端部が前記掛止爪の突設方向へ移動させられて前記掛止爪３と前記掛止受け部８との掛止が外れ、前記引出しの開放が可能になることを特徴とする。ここで引出し本体は机やキャビネットなど引出しを備える家具などを意味する。
【００１１】
また、目的を達成するため、この発明に係わる引出し解放防止具は、請求項２の記載によれば請求項１に記載の引出し解放防止具において、前記第１部材５が前記掛止部４を略水平に保持する保持部を有し、前記第２部材の前記掛止板２が掛止部の先端が当たる当り辺１２を有し、前記引出しが開放された状態で、略水平に保持された前記掛止部４の前記掛止爪３の位置が、前記掛止受け部の当り辺１２の上端の位置よりも下で、当り辺１２の下端の位置よりも上にあるように前記第１部材５が引出しに固着されると共に前記第２部材１が引出し本体に固着されることを特徴とする。
【００１２】
また、目的を達成するため、この発明に係わる引出し解放防止具は、請求項３の記載によれば  請求項１又は２に記載の引出し解放防止具において、前記掛止板２の上下方向の幅が、当り辺１２の部分で前記掛止爪の下端から上方に向けて狭くなるように形成されていることを特徴とする。
【００１３】
また、目的を達成するため、この発明に係わる引出し解放防止具は、請求項４の記載によれば前記掛止部４が、その後端部に前記掛止部４を引出の閉止方向へ移動させて前記掛止爪３を前記応力変換部７にあてがい前記応力変換部７を水平方向へ移動させ前記掛止爪３と前記掛止受け部８との掛止を開放させる押圧部９を有することを特徴とする。
【００１４】
また、目的を達成するため、この発明に係わる引出し解放防止具は、請求項５の記載によれば前記押圧部９が前記引出しの開放方向へ付勢されていることを特徴とする。
【発明の効果】
【００１５】
この発明によれば、既存の引出しに容易に設置できる引出し解放防止具を提供することができる。
【００１６】
また、この発明によれば、使用が簡便で、かつ確実に扉や引出しの解放を防止できる解除機能機能のついた引出し解放防止具を提供することができる。
【図面の簡単な説明】
【００１７】
【図１】本発明の引出し解放防止具の下方からの斜視図。
【図２】掛止部の付勢の説明図。
【図３】本発明の引出し解放防止具の動作の説明図。
【発明を実施するための形態】
【００１８】
以下に図面を用いて本発明の実施例を説明する。図１は、本発明の引出し解放防止具を示す斜視図である。図２は、水平付勢バネ１５による掛止部４の引出しの開放方向への付勢の説明図である。長穴１６とこれに嵌る第１突起１０により水平方向への若干の移動が可能になる。図３は引出しが閉められる過程での引出し解放防止具の状態の変化の説明図である。
【００１９】
本発明の引出し解放防止具は、引出しの解放を防止したい机等に用いられる。図１は、床面に載置される机やキャビネットで使われる引出し解放防止具の構造を示している。引出し解放防止具は、引出しに固着される第１部材５と引出しを収める机などに固着される第２部材１を備える。
【００２０】
第１部材５は、引出しに固着される固着板とこれに水平に移動可能に取り付けられる板状の掛止部４を有する。固着板の後端部はＬ字型に成形され引出に接着剤や両面テープにて固着される。掛止部４は図２に示すように第１突起１０が挿入される長穴１６と固着板のＬ字型に成形されたものに開けられた空隙に支えられ、水平方向に移動する。また、バネなどの弾性体である水平付勢バネ１５により引出しの開放方向へ付勢されている。掛止を外して引出しを開放するには、後述するように、この掛止部４を押圧部９を押して引出しの閉止方向へ移動させて掛止の機能を解除する。
【００２１】
掛止部４はその先端部分の近くに水平方向へ突設される掛止爪３を備えており、これが第２部材１に取り付けられた掛止受け部８により掛止されて、引出しの開放を防止する。
【００２２】
引出しが閉止されて引出し解放防止具により引出しがロックされると引出しを開けることができなくなり日常の使用には不便である。そこで、ロックを解除する機構として、図１の掛止部４の先端付近の掛止爪３と掛止受け部８を水平方向へ離間させて掛止の機能を停止させる。
【００２３】
掛止板２は通常は、第２突起６に巻きついた付勢用バネ１１により第２部材の固着面の方向及び鉛直の下方へ付勢されている。引出しが閉止された状態では図１の第２部材の固着面に近い位置に置かれ点線で示す掛止２Ｌ（Ｌｏｃｋ）状態となる。この状態で引出しが引かれると掛止爪３が掛止受け部８に移動を阻害されて、引出しの開放が防止される。
【００２４】
次に解除について説明する。掛止部４の後端部に設けられた押圧部９が引出しの閉止方向へ押されると、掛止部４が引出しの閉止方向へ移動して、掛止爪３が応力変換部７を押す。
【００２５】
そうすると、応力変換部７は押された引出しの閉止方向への力を水平方向へ９０度変換し、掛止板２は掛止爪３の突設方向へ移動する。その結果、掛止爪３が掛止受け部８から外れて掛止爪３と掛止受け部８による掛止の機能が停止する。
【００２６】
つまり、押圧部９を引出しの閉止方向へ押すことで、掛止板２が回動して掛止受け部が８水平に移動し、掛止爪３が掛止受け部８から外れて掛止部４の掛止の機能が働かないようになり、押圧部９はロック機能の解除として働く。
【００２７】
次に、図３の（Ａ）及び（Ｂ）を用いて、引出しが閉止される際の引出し解放防止具の動きを説明する。
【００２８】
図３（Ａ）は引出しが外へ引き出された状態を示している。第１部材及び第２部材は、第１部材の掛止爪３の高さが、引出しが閉止された際に第２部材の掛止の当たり辺１２に当たるように調整されてそれぞれ引出し及び引出本体へ固着される。
【００２９】
図３（Ｂ）は掛止爪３が当たり辺１２に当たって掛止板２の先端部分がせりあがって、掛止爪が掛止受け部２１に掛止された様子を示している。掛止板の先端部分がせりあがるのは、掛止板２の先端部分の上下方向の寸法が先端から次第に大きくなっており、水平方向の移動が鉛直方向の移動へ変換されるためである。
【００３０】
以上のように、本発明により、構造が簡単で安価に製造可能な引出し等の引出し解放防止具を提供することができる。また、本発明により、取り付けが容易で強固に引出し等の解放を防止することができるとともに、その防止機能を容易に解除できる引出し解放防止具を提供することができる。さらに、本発明は、引き出しの左側面、右側面、天面のどこにでも、取り付け可能であり使用者にとって利便性が高い。
【符号の説明】
【００３１】
１  第２部材
２  掛止板
３  掛止爪
４  掛止部
５  第１部材
６  第２突起
７  応力変換部
８  掛止受け部
９  押圧部
１０  第１突起
１１  付勢用バネ
１２  当たり辺
１３  バネ止め
１４  接着部（両面テープ、接着剤）
１５  水平付勢バネ
１６  長穴
【図１】
2016020603.tif 000003
【図２】
2016020603.tif 000004
【図３】
2016020603.tif 000005